(57)【要約】      （修正有）【課題】部品点数が少なく構造がシンプルで、フェイスシールドの脱着可能なフェイスシールド保持具を提供する。【解決手段】使用者の顔面を覆うフェイスシールドを頭部に固定する保持具において、同保持具を使用者の前頭部から両側頭部を経て後頭部周りに固定するバンド１からなる頭部装着部と、頭部装着部に接続され顔面前に伸びるフェイスシールドを保持するフェイスシールド装着部と、を含み、フェイスシールド装着部は、フェイスシールドを挟む少なくとも二枚のバンド２、３を重ね合わせた構造とする。【選択図】図２
0003230601.tif 000002
【実用新案登録請求の範囲】
【請求項１】
使用者の顔面を覆うフェイスシールドを頭部に固定する保持具において、
同保持具を使用者の前頭部から両側頭部を経て後頭部周りに固定するバンドからなる頭部装着部と、
頭部装着部に接続され顔面前に伸びるフェイシールドを保持するフェイスシールド装着部と、
を含み、
前記フェイスシールド装着部には、フェイスシールドを挟む少なくとも二枚のバンドを重ね合わせた構造を特徴とする保持具。
【請求項２】
請求項１に記載の保持具であって、頭部装着部には一方の側頭部から頭頂を経て他方の側頭部に至る固定バンドを有することを特徴とする保持具。
【請求項３】
請求項２に記載の保持具であって、頭部装着部において、前頭部から両側頭部を経て後頭部周りに固定するバンドの表面と側頭部から頭頂を経て他方の側頭部に至る固定バンドの表面に、滑り防止効果のある材料を用いたバンドを有することを特徴とする保持具。
【考案の詳細な説明】
【技術分野】
【０００１】      本考案は、体液飛沫による感染を防護するフェイスシールドを頭部に固定する保持具に関するものである。
【背景技術】
【０００２】      従来のフェイスシールド保持具では、フェイスシールドは顔面から距離を設けるためにフェイスシールド保持具にパッド、庇、ブリッジなどが用いられており、またフェイスシールドは保持具に接着や熱融着されたり吊り下げたりして固定されている。このように従来のフェイスシールド顔面保護具は部品点数が多く構造が複雑で、重量も増え、コストもアップする。更に、フェイスシールド単品の交換ができない。
【先行技術文献】
【特許文献】
【０００３】
【特許文献１】公開実用新案公報  平１−１４４００８号
【特許文献２】特開２００３−３３９８９３号  公報
【特許文献３】実用新案登録第３２２７２３３号  公報
【考案の概要】
【考案が解決しようとする課題】
【０００４】      本考案においては、部品点数が少なく構造がシンプルで、フェイスシールドの脱着ができるフェイスシールド保持具を提供する。
【課題を解決するための手段】
【０００５】    使用者の顔面を覆うフェイスシールドを頭部に固定する保持具において、同保持具を使用者の前頭部から両側頭部を経て後頭部周りに固定するバンドからなる頭部装着部と、頭部装着部に接続され顔面前に伸びるフェイシールドを保持するフェイスシールド装着部と、を含み、前記フェイスシールド装着部には、フェイスシールドを挟む少なくとも二枚のバンドを重ね合わせた構造を特徴とする保持具。
【考案の効果】
【０００６】    本考案のフェイシールド保持具には、フェイスシールドと顔面の距離を設けるためのパッドや庇、ブリッジなどの追加部品は不要で、基本的には頭部固定用バンド、フェイスシールド固定バンド、並びにバンド同士を接続する面ファスナーだけの部品となる。部品種類も点数が少なく、製造が簡単であるため、製造工数削減、コスト削減、軽量化が可能となる。
本考案のフェイスシールドの保持具では、フェイスシールドは二枚のバンドで挟持されるため、接着や熱溶着は不要であり、脱着可能である。
保持具の頭部への固定は、従来品の頭の前後方向周囲だけでなく、頭頂部方向にも固定できるため、よりしっかりと固定でき、また、頭の前後方向周囲を締め付ける圧迫力を適度に調整できる。また、ヘルメットや帽子の上からでも保持具を滑ることなくしっかりと固定できる。
【図面の簡単な説明】
【０００７】
【図１】本考案保持具の前面斜視図（写真）
【図２】本考案保持具の組立平面図
【図３】本考案保持具の分解平面図
【図４】本考案保持具の分解正面図
【図５】本考案保持具にフェイスシールドを装着した斜視図（写真）
【図６】本考案保持具をヘルメットに装着した斜視図（写真）
【図７】本考案保持具を作業帽に装着した斜視図（写真）
【考案を実施するための形態】
【０００８】    体液飛沫による感染を防護するために顔面を覆うフェイスシールドを頭部に固定する保持具であって、同保持具を使用者の前頭部から両側頭部を経て後頭部周りに固定するバンドからなる頭部装着部と同頭部装着部に接続され顔面前に伸びるフェイスシールドを挟持する二枚のバンドからなるフェイスシールド装着部で構成している。図２の１は頭部装着部の前後方向を固定するバンドで、両端に面ファスナーを設けて頭のサイズに合わせて適度に左右端を接続できるようにしている。図２の２と３はフェイスシールドを挟持するバンドで、図３に示すようにフェイスシールドの外側のバンド２の長さを内側のバンド３の長さより長くしたものを重ねている。これによって、分解時にはフェイスシールドを挟むことができる適度な隙間を確保し、保持具を頭部に装着時にはフェイスシールド挟みつける適度な保持力をつくっている。
図３に示すように、フェイスシールドの内側のバンド３の厚さと外側のバンド２の厚さよりも厚くしてフェイスシールドを保持するバンドの剛性を高めている。
一方、図２の１の頭部装着部のバンドには両側頭部に頭頂方向にバンド４を縫合し、バンド４の他端には面ファスナーを設けて、頭のサイズに合わせて適度に左右からのバンドを接合できるようにしている。
さらに、図２の１と４で示す頭部装着部に用いられているバンドの頭部側の表面に滑り防止効果のある材料を用いることにより、頭部への固定力を上げて、図６と図７に示すように、ヘルメットや帽子の上からでもしっかり固定できるようにしている。
【実施例】
【０００９】  以下、添付図面に従って実施例を説明する。
図１から図５までは第一実施例である。
図１は本考案の保持具全体を前面からの斜視した写真である。
図２は本考案の保持具の組立平面図である。
１は幅２．７ｃｍ、長さ６５．０ｃｍ、厚さ１．０ｍｍの加工しやすい柔軟性を有するポリアセタール材のバンドで、保持具全体を頭部の前後方向の周りに巻き付けて固定するもので両端を接合するために灰色網掛け部に面ファスナーを縫合している。２は幅２．７ｃｍ、長さ４７．５ｃｍ、厚さ１．０ｍｍの１と同じ材質のバンドで、３は幅２．７ｃｍ、長さ４７．０ｃｍ、厚さ２．０ｍｍの１と同じ材質のバンドで、平面視にて２を外側、３を内側とし、両端部を同一位置に重ねて１の頭部固定バンドに縫合し、２と３の間にフェイスシールドを挟持するものである。４は幅２．７ｃｍ、長さ１８．０ｃｍ、厚さ１．０ｍｍの１と同じ材質のバンドで、１の頭部固定バンドの左右側頭部あたりに一端を縫合し、他端には面ファスナーを縫合し左右両方のバンドを接合している。
図３は、図２の組立てられた保持具を分解した平面図である。このように１をまっすぐに延ばした状態では、この実施例では２と３の隙間５には最大で約３ｍｍの間隔を作っている。面ファスナーの記載は省略している。
図４は、図３の正面図である。面ファスナーの記載は省略している。
図５は、図３のように分解した保持具において２と３の間にフェイスシールドを装着し、頭部への装着状態を表した写真である。
図６と図７は第二実施例である。
図６は当保持具をヘルメットに装着した状態の写真で、図７は帽子に装着した状態の写真である。
図６、図７において、保持具の各部の構成は第一実施と変わらないため第一実施例の符号をもちいて説明する。１は幅２．７ｃｍ、長さ８０．０ｃｍ、厚さ１．０ｍｍの第一実施例と同様の材質のバンドで、その頭部側の表面に滑り防止効果のある塩化ビニル材料を用いている。２と３のバンドは第一実施例と同じものである。４は幅２．７ｃｍ、長さ２２．４ｃｍ、厚さ１．０ｍｍの第一実施例と同様の材質のバンドで、その頭部側の表面に滑り防止効果のある塩化ビニル材料を用いている。
【符号の説明】
【００１０】１  頭部装着部  前後方向固定バンド
２  フェイスシールド装着部外側バンド
３  フェイスシールド装着部内側バンド
４  頭部装着部  頭頂部方向固定バンド
５  ２と３の隙間
【図１】
0003230601.tif 000003
【図２】
0003230601.tif 000004
【図３】
0003230601.tif 000005
【図４】
0003230601.tif 000006
【図５】
0003230601.tif 000007
【図６】
0003230601.tif 000008
【図７】
0003230601.tif 000009